(57)【要約】      （修正有）【課題】コンピュータプログラムにおける表示の誤りを画面上で効率的に検出する表示誤り検出支援装置を提供する。【解決手段】表示誤り検出支援装置２０は、通信部２１、入力部２２、表示部２３、記憶部２４、及び、制御部２５を備える。通信部は、有線通信又は無線通信により端末装置１０と通信を行う通信デバイスである。入力部は、キーボードやマウスなどの入力デバイスである。表示部は、ディスプレイなどの表示デバイスである。端末装置でコンピュータプログラムを実行して表示の誤りを検出する際には、端末装置の表示部に表示された画面がミラーリングにより表示誤り検出支援装置の表示部にも表示される。記憶部は、表示部に表示される各画面において確認の不要な領域をマスクするマスク画像を記憶する。制御部は、表示部に表示される画面に対応するマスク画像を記憶部から読み出して、読み出したマスク画像を上記画面に重ねて表示する。【選択図】図１
2020187575.tif 000002
【特許請求の範囲】
【請求項１】
コンピュータプログラムにおける表示の誤りの検出を支援する表示誤り検出支援プログラムであって、
コンピュータに、
表示部に表示される各画面に対応付けて設定され、各画面において確認の不要な領域をマスクするマスク画像を記憶する記憶部から、前記表示部に表示される画面に対応するマスク画像を読み出す読出手順と、
前記読出手順により読み出されたマスク画像を前記画面に重ねて表示する表示手順と、
を実行させる表示誤り検出支援プログラム。
【請求項２】
前記表示部に表示される１つの画面に対応する異なる複数のマスク画像があり、前記表示手順では、前記異なる複数のマスク画像を順次表示する請求項１に記載の表示誤り検出支援プログラム。
【請求項３】
前記マスク画像には付加情報が対応付けられており、前記表示手順では、前記マスク画像を前記付加情報とともに表示する請求項１または２に記載の表示誤り検出支援プログラム。
【請求項４】
前記付加情報は、前記確認に関する説明の情報である請求項３に記載の表示誤り検出支援プログラム。
【請求項５】
前記付加情報は、前記確認を要する複数の領域の関連性を示す情報である請求項３に記載の表示誤り検出支援プログラム。
【請求項６】
前記コンピュータプログラムは、前記コンピュータとは別の装置において実行され、前記表示手順では、前記マスク画像をミラーリングにより表示された画面に重ねて表示する請求項１〜５のいずれか１項に記載の表示誤り検出支援プログラム。
【請求項７】
コンピュータプログラムにおける表示の誤りの検出を支援する表示誤り検出支援方法であって、
表示部に表示される各画面に対応付けて設定され、各画面において確認の不要な領域をマスクするマスク画像を記憶する記憶部から、前記表示部に表示される画面に対応するマスク画像を読み出す読出ステップと、
前記読出ステップにおいて読み出されたマスク画像を前記画面に重ねて表示する表示ステップと、
を含む表示誤り検出支援方法。
【請求項８】
コンピュータプログラムにおける表示の誤りの検出を支援する表示誤り検出支援装置であって、
表示部に表示される各画面に対応付けて設定され、各画面において確認の不要な領域をマスクするマスク画像を記憶する記憶部と、
前記表示部に表示される画面に対応するマスク画像を前記記憶部から読み出して、読み出したマスク画像を前記画面に重ねて表示させる制御部と、
を備える表示誤り検出支援装置。
【発明の詳細な説明】
【技術分野】
【０００１】
本開示は、表示誤り検出支援プログラム、表示誤り検出支援方法、および、表示誤り検出支援装置に関する。
【背景技術】
【０００２】
従来、コンピュータプログラムにおける表示の誤りを取り除く作業を支援するための装置が提案されている。
【０００３】
例えば、特許文献１には、表示装置に表示を行うプログラムについて、単に変数の内容を表示させるだけでなく、実際に表示装置に表示を行わせることにより、プログラムの経過点ごとに視覚的に動作確認を行うことを可能とする試験装置が開示されている。
【先行技術文献】
【特許文献】
【０００４】
【特許文献１】特開２０１４−４８９７４号公報
【発明の概要】
【発明が解決しようとする課題】
【０００５】
しかしながら、上記特許文献１に開示された技術では、表示の誤りを表示装置上で確認する際、余分な情報が多くなると、効率的に誤りを検出することが難しくなるという課題がある。
【０００６】
本開示は、コンピュータプログラムにおける誤りを画面上で効率的に検出することが可能な表示誤り検出支援プログラム、表示誤り検出支援方法、および、表示誤り検出支援装置を提供することを目的とする。
【課題を解決するための手段】
【０００７】
本開示の表示誤り検出支援プログラムは、コンピュータプログラムにおける表示の誤りの検出を支援する表示誤り検出支援プログラムであって、コンピュータに、表示部に表示される各画面に対応付けて設定され、各画面において確認の不要な領域をマスクするマスク画像を記憶する記憶部から、表示部に表示される画面に対応するマスク画像を読み出す読出手順と、読出手順により読み出されたマスク画像を上記画面に重ねて表示する表示手順と、を実行させる。
【０００８】
また、本開示の表示誤り検出支援方法は、コンピュータプログラムにおける表示の誤りの検出を支援する表示誤り検出支援方法であって、表示部に表示される各画面に対応付けて設定され、各画面において確認の不要な領域をマスクするマスク画像を記憶する記憶部から、表示部に表示される画面に対応するマスク画像を読み出す読出ステップと、読出ステップにおいて読み出されたマスク画像を上記画面に重ねて表示する表示ステップと、を含む。
【０００９】
また、本開示の表示誤り検出支援装置は、コンピュータプログラムにおける表示の誤りの検出を支援する表示誤り検出支援装置であって、表示部に表示される各画面に対応付けて設定され、各画面において確認の不要な領域をマスクするマスク画像を記憶する記憶部と、表示部に表示される画面に対応するマスク画像を記憶部から読み出して、読み出したマスク画像を上記画面に重ねて表示させる制御部と、を備える。
【発明の効果】
【００１０】
本開示によれば、コンピュータプログラムにおける表示の誤りを画面上で効率的に検出することができる。
【図面の簡単な説明】
【００１１】
【図１】本実施の形態における表示誤り検出支援システムの一例を示す図
【図２】確認項目データの一例を示す図
【図３】ミラーリングにより表示部に表示される画面の一例を示す図
【図４】確認の不要な領域をマスクするマスク画像の一例を示す図
【図５】マスク画像が重ねて表示された画面の一例を示す図
【図６】確認結果データの一例を示す図
【図７】表示誤り検出支援装置が行う表示誤り検出支援処理の処理手順の一例を示すフローチャート
【図８】表示誤り検出支援処理時に表示される操作画面の一例を示す図
【発明を実施するための形態】
【００１２】
以下に、本実施の形態について、図面を参照して詳細に説明する。なお、本実施の形態は一例であり、本発明はこの実施の形態により限定されるものではなく、本発明の趣旨を逸脱しない範囲で実施の形態の変更が可能である。
【００１３】
まず、本開示の技術の背景について説明する。ゲームのようなエンドユーザが利用するアプリケーションは、プログラムロジック、テキストデータ、画像データなどから構成されている。ゲームなどのコンピュータプログラムは、これらの要素を作成し、それらを組み合わせて構成される。
【００１４】
個々の要素は、アプリケーションの開発者によりチェックされ、その後品質保証を行う者によりチェックされるが、単に各要素を組み合わせればアプリケーションが完成したということにはならない。
【００１５】
例えば、各要素の組み合わせに誤りがある場合や、画像を表示する順番に誤りがある場合、特定のデータと特定のプログラムロジックとの組み合わせで問題が生じる場合があるなど、各要素を一つにまとめないと顕在化しない問題もある。
【００１６】
このような問題が生じないかを確認し、アプリケーション全体が正しく動作するようにするのも、上述した品質保証の重要な役割の１つである。
【００１７】
この品質保証の作業においては、現状、多数の人が実際にゲームなどのアプリケーションを操作して、大量の確認すべき項目を表示画面上で確認している。
【００１８】
そのため、確認ミスがあったり、作業者間での確認能力にばらつきが出たり、長時間の作業や難易度が高い作業により作業者に疲労がたまるなどの問題が生じる可能性がある。
【００１９】
本開示の技術は、このような問題の解決に用いることができるものであり、特に上述した品質保証の作業において有用なものである。
【００２０】
図１は、本実施の形態における表示誤り検出支援システムの一例を示す図である。図１に示すように、この表示誤り検出支援システムは、端末装置１０と表示誤り検出支援装置２０とを備える。
【００２１】
端末装置１０は、スマートフォンやゲーム機、タブレット端末、パーソナルコンピュータなどの装置である。端末装置１０は、端末装置１０に備わる表示部に表示を行うゲームなどのコンピュータプログラムを実行する。
【００２２】
表示誤り検出支援装置２０は、コンピュータプログラムにおける表示の誤りの検出を支援するパーソナルコンピュータなどの装置である。
【００２３】
表示誤り検出支援装置２０は、通信部２１、入力部２２、表示部２３、記憶部２４、および、制御部２５を備える。
【００２４】
通信部２１は、有線通信または無線通信により端末装置１０と通信を行う通信デバイスである。入力部２２は、キーボードやマウスなどの入力デバイスである。
【００２５】
表示部２３は、ディスプレイなどの表示デバイスである。端末装置１０でコンピュータプログラムを実行して表示の誤りを検出する際には、端末装置１０の表示部に表示された画面がミラーリングにより表示誤り検出支援装置２０の表示部２３にも表示される。
【００２６】
そして、表示部２３に表示された画面において、作業者により表示の誤り検出が行われる。そのため、端末装置１０で実行されるコンピュータプログラムを表示誤り検出支援処理用に改変する必要がなく、容易に表示の誤りの検出支援処理を行うことができる。
【００２７】
例えば、端末装置１０がスマートフォンであり、表示誤り検出支援装置２０がスマートフォンの画面よりも大きな画面を有するパーソナルコンピュータである場合には、スマートフォンよりも大きな画面で表示の誤り検出を行うことができるので、表示の誤り検出を容易に行うことができる。
【００２８】
なお、ここでは、表示部２３に表示された画面において表示の誤り検出を行う場合について説明するが、端末装置１０に表示された画面において同様の方法で表示の誤り検出を行うこととしてもよい。
【００２９】
また、表示誤り検出支援装置２０がパーソナルコンピュータである場合、表示誤り検出支援装置２０でそのコンピュータプログラムを実行し、同じ表示誤り検出支援装置２０で表示の誤りの検出支援処理を行うことも可能である。
【００３０】
この場合のコンピュータプログラムは、パーソナルコンピュータ用のプログラムであってもよいし、表示誤り検出支援装置２０で動作するエミュレータで実行可能なプログラムであってもよい。
【００３１】
記憶部２４は、種々のデータを記憶するメモリやハードディスクなどの記憶デバイスである。記憶部２４は、例えば、確認項目データ２４ａ、マスク画像データ２４ｂ、および、確認結果データ２４ｃを記憶する。
【００３２】
確認項目データ２４ａは、コンピュータプログラムにおいて表示の誤りが無いかの確認を要する項目が登録されたデータである。確認項目データ２４ａに登録された各項目について表示の誤り検出が行われる。図２は、確認項目データ２４ａの一例を示す図である。
【００３３】
図２に示すように、確認項目データ２４ａには、項目番号、確認観点、確認画面、作業内容、期待結果、画面番号の情報が登録されている。
【００３４】
項目番号は、各項目に割り当てられた番号である。確認観点は、表示の誤りを検出する際の各項目の観点の情報である。確認画面は、表示の誤りを検出する画面の情報である。作業内容は、表示の誤りを検出する際に行うべき作業内容の情報である。期待結果は、表示の誤りがない場合に期待される確認結果の情報である。画面番号は、各項目の確認が行われる画面の番号である。
【００３５】
マスク画像データ２４ｂは、各項目についての表示の誤り検出時に、ミラーリングにより表示部２３に表示される画面において、確認の不要な領域をマスクするマスク画像のデータである。マスク画像は、表示の誤り検出を行う各画面に対応付けて設定される。
【００３６】
図３は、ミラーリングにより表示部２３に表示される画面の一例を示す図である。図４は、確認の不要な領域をマスクするマスク画像４０の一例を示す図である。また、図５は、マスク画像４０が重ねて表示された画面の一例を示す図である。
【００３７】
図３に示す画面には、武器のイラスト３０と槍のアイコン３１とが示されている。この画面には、それらの画像以外にも文字や数字、ボタンなどの様々な情報が表示されている。
【００３８】
例えば、武器のイラスト３０とアイコン３１の内容とが一致しているかどうかを確認する場合、様々な情報が表示されていると、注意が散漫になって確認ミスが生じたり、確認すべき領域を探すのに時間を要したりして作業者の負担になる場合がある。
【００３９】
このような課題を解決するため、図５に示すように、図４に示したマスク画像４０が図３に示した画面に重ねて表示され、武器のイラスト３０とアイコン３１以外の確認の不要な領域がマスクされる。
【００４０】
また、このような処理を行うことにより、管理者は作業者に対してより明確に確認内容について指示を与えることができ、また、作業者間における確認作業の質のばらつきを抑えることができる。
【００４１】
確認結果データ２４ｃは、表示の誤りがあるかどうかの確認結果が登録されたデータである。図６は、確認結果データ２４ｃの一例を示す図である。
【００４２】
図６に示すように、確認結果データ２４ｃには、項目番号、確認結果、日付、名前、機種名、ＯＳ、バージョン、および、備考の情報が登録される。
【００４３】
項目番号は、図２を用いて説明した項目番号と同じ番号である。確認結果は、表示の誤りの有無についての確認結果の情報である。日付は、確認を行った日付の情報である。名前は、確認を行った作業者の名前の情報である。機種名は、表示の誤りの検出対象であるコンピュータプログラムが実行される機種の名称の情報である。ＯＳは、表示の誤りの検出対象であるコンピュータプログラムが実行されるオペレーティングシステムの情報である。バージョンは、表示の誤りの検出対象であるコンピュータプログラムのバージョンの情報である。備考は、表示の誤りの有無の確認時に作業者により入力されたコメントやスクリーンショットの情報などである。
【００４４】
スクリーンショットの情報は、表示の誤りの有無について作業者がプログラマなどに後で確認する場合などに有用である。なお、確認を行った日付、機種名、および、ＯＳの情報は、以下に説明する制御部２５により自動で取得され、確認結果データ２４ｃに登録される。
【００４５】
図１の説明に戻ると、制御部２５は、表示誤り検出支援装置２０を制御するプロセッサなどの制御デバイスである。例えば、制御部２５は、ミラーリングにより表示部２３に表示される画面に対応するマスク画像４０を記憶部２４から読み出して、読み出したマスク画像４０を上記画面に重ねて表示させる処理などを行う。
【００４６】
つぎに、表示誤り検出支援装置２０が行う表示誤り検出支援処理の処理手順について説明する。図７は、表示誤り検出支援装置２０が行う表示誤り検出支援処理の処理手順の一例を示すフローチャートである。
【００４７】
なお、この表示誤り検出支援処理が行われる前に、端末装置１０と表示誤り検出支援装置２０との間で通信が確立されており、表示誤り検出支援装置２０において表示誤り検出支援処理を行うコンピュータプログラムが起動されているものとする。
【００４８】
まず、表示誤り検出支援装置２０の制御部２５は、記憶部２４に記憶された確認項目データ２４ａを読み込む（ステップＳ１０）。ここで、確認項目データ２４ａが複数ある場合、制御部２５は、作業者に複数ある確認項目データ２４ａのうちいずれかを選択させ、選択された確認項目データ２４ａを読み込む。
【００４９】
続いて、制御部２５は、端末装置１０でコンピュータプログラムが実行された結果表示されるゲーム画面を表示部２３に表示させるミラーリングを開始する（ステップＳ１１）。
【００５０】
そして、制御部２５は、図８に示す操作画面５０において、作業者より種々の情報の入力を受け付ける（ステップＳ１２）。例えば、制御部２５は、作業者より作業者の名前や表示の誤りの検出対象であるコンピュータプログラムのバージョンの情報の入力を受け付ける。
【００５１】
図８は、表示誤り検出支援処理時に表示される操作画面５０の一例を示す図である。この操作画面５０には、確認観点欄５１ａ、確認画面欄５１ｂ、作業内容欄５１ｃ、期待結果欄５１ｄ、コメント欄５２、作業者入力欄５３、バージョン入力欄５４、画面番号欄５５、マスクチェック欄５６、戻るボタン５７ａ、次へボタン５７ｂ、ＯＫボタン５８ａ、ＮＧボタン５８ｂ、保留ボタン５８ｃが表示される。
【００５２】
確認観点欄５１ａ、確認画面欄５１ｂ、作業内容欄５１ｃ、および、期待結果欄５１ｄはそれぞれ、図２に示した確認観点、確認画面、作業内容、および、期待結果の情報が表示される欄である。
【００５３】
コメント欄５２は、作業者によるコメントの入力を受け付ける欄である。なお、スクリーンショットが撮影された場合には、コメント欄５２には、スクリーンショットの画像ファイルの情報が制御部２５により自動的に登録される。
【００５４】
作業者入力欄５３は、表示の誤りの確認作業を行う作業者の名前の入力を作業者から受け付ける欄である。バージョン入力欄５４は、表示の誤りの検出対象であるコンピュータプログラムのバージョンの情報の入力を作業者から受け付ける欄である。画面番号欄５５は、表示の誤りの有無の確認を行うゲーム画面の番号が表示される欄である。
【００５５】
マスクチェック欄５６は、ゲーム画面に重ねて表示されているマスク画像を取り除く指示を作業者から受け付ける欄である。マスクチェック欄５６にチェックが入っている場合に、そのチェックを外すことにより、ゲーム画面全体を確認することができる。また、再度チェックを入れることによりゲーム画像にマスク画像を再度重ねて表示させることができる。
【００５６】
戻るボタン５７ａ、および、次へボタン５７ｂはそれぞれ、前の項目、および、次の項目に表示の誤りの有無の確認作業を進めるボタンである。
【００５７】
例えば、図２に示した項目番号２の項目について確認作業を行っている場合に、戻るボタン５７ａが作業者により押下された場合、項目番号１の項目についての確認作業に作業を戻すことができる。同様に、項目番号２の項目について確認作業を行っている場合に、次へボタン５７ｂが作業者により押下された場合、項目番号３の項目についての確認作業に作業を進めることができる。
【００５８】
なお、制御部２５が、図２に示した確認項目データ２４ａを表示部２３に表示させ、作業者により確認作業を行いたい項目の選択をその表示画面上で受け付けて、その項目の確認作業に移るようにしてもよい。
【００５９】
ＯＫボタン５８ａは、確認の結果表示の誤りがなかった場合に作業者が押下するボタンである。ＮＧボタン５８ｂは、確認の結果表示の誤りがあった場合に作業者が押下するボタンである。
【００６０】
保留ボタン５８ｃは、表示の誤りがあるかどうかの判断を保留する場合に作業者が押下するボタンである。保留ボタン５８ｃが作業者により押下されると、制御部２５によりマスク画像が重ねて表示された画面のスクリーンショットが撮影され、その画像ファイルの情報がコメント欄５２に登録される。なお、スクリーンショットの撮影は、作業者が手動で行ってもよい。
【００６１】
作業者により入力された確認結果の情報は、制御部２５により、図６に示した確認結果データ２４ｃに登録される。
【００６２】
図７の説明に戻ると、制御部２５は、作業者の操作により表示の誤りの検出対象として選択されたゲーム画面を表示部２３に表示させる（ステップＳ１３）。
【００６３】
続いて、制御部２５は、記憶部２４にマスク画像データ２４ｂとして記憶されたマスク画像の中から表示部２３に表示されたゲーム画面に対応するマスク画像を読み出す（ステップＳ１４）。具体的には、制御部２５は、図２に示した確認項目データ２４ａにおける画面番号に対応するマスク画像を読み出す。そして、制御部２５は、読み出したマスク画像をゲーム画面に重ねて表示させる（ステップＳ１５）。
【００６４】
その後、制御部２５は、作業者が表示の誤りの有無の確認を行った確認結果の入力を受け付ける（ステップＳ１６）。具体的には、図８に示した操作画面５０におけるＯＫボタン５８ａ、ＮＧボタン５８ｂ、保留ボタン５８ｃのいずれかの押下操作を受け付ける。
【００６５】
そして、制御部２５は、すべての確認項目について表示の誤りの有無の確認が完了したか否かを判定する（ステップＳ１７）。
【００６６】
すべての確認項目について表示の誤りの有無の確認が完了していない場合（ステップＳ１７においてＮＯの場合）、確認が完了していない項目について、ステップＳ１３以降の処理が実行される。
【００６７】
具体的には、図８に示した操作画面５０における次へボタン５７ｂが作業者により押下され、また、確認対象となる画面までゲーム画面が進められることにより、次の項目について表示の誤りがないかどうかが確認される。
【００６８】
すべての確認項目について表示の誤りの有無の確認が完了した場合（ステップＳ１７においてＹＥＳの場合）、この表示誤り検出支援処理は終了する。
【００６９】
なお、図４の例では、１つのマスク画像に対して、マスクされていない領域が２つあることとしたが、マスクされていない領域は１つであってもよいし、３つ以上であってもよい。
【００７０】
また、制御部２５が、マスク画像に付加情報を対応付けてマスク画像データ２４ｂに登録しておき、マスク画像を付加情報とともに表示することとしてもよい。
【００７１】
具体的には、制御部２５は、マスクされていない領域が３つ以上である場合、関連性を有する領域については、それらの関連性を示す付加情報として、それらの領域の枠を同じ色で表示したり、同じ種類の線で表示したりなどして、作業者が確認しやすくなるようにしてもよい。
【００７２】
また、制御部２５は、マスクされていない領域に対応付けて、確認に関する説明の情報を付加情報として表示するようにしてもよい。説明の情報とは、例えば、確認を行う際の注意事項や補足事項の説明、マスクされていない領域に表示されている対象の名称の情報などである。
【００７３】
また、１つの画面に対してマスク画像が１つだけ用意されるとは限らず、複数用意することとしてもよい。
【００７４】
例えば、１つの画面において確認すべき領域が多数ある場合には、制御部２５は、領域ごとに用意された複数のマスク画像、または、複数の領域のグループごとに用意された複数のマスク画像を順次切り替えて１つの画面に重ねて表示するようにしてもよい。
【００７５】
これにより、作業者が一度に確認すべき領域の数を減らすことができ、作業者の確認ミスが生じることを防止することができる。
【００７６】
以上、本発明に係る実施形態について図面を参照して詳述してきたが、上述した各装置の機能は、コンピュータプログラムにより実現され得る。
【００７７】
上述した各装置の機能をプログラムにより実現するコンピュータは、キーボードやマウス、タッチパッドなどの入力装置、ディスプレイやスピーカなどの出力装置、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク装置やＳＳＤ（Ｓｏｌｉｄ  Ｓｔａｔｅ  Ｄｒｉｖｅ）などの記憶装置、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ Ｍｅｍｏｒｙ）やＵＳＢ（Ｕｎｉｖｅｒｓａｌ  Ｓｅｒｉａｌ  Ｂｕｓ）メモリなどの記録媒体から情報を読み取る読取装置、ネットワークを介して通信を行うネットワークカードなどを備え、各部はバスにより接続される。
【００７８】
そして、読取装置は、上記各装置の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【００７９】
そして、ＣＰＵが、記憶装置に記憶されたプログラムをＲＡＭにコピーし、そのプログラムに含まれる命令をＲＡＭから順次読み出して実行することにより、上記各装置の機能が実現される。
【産業上の利用可能性】
【００８０】
本開示の技術は、コンピュータプログラムにおける表示の誤りの検出を支援する表示誤り検出支援技術に利用可能である。
【符号の説明】
【００８１】
１０  端末装置
２０  表示誤り検出支援装置
２１  通信部
２２  入力部
２３  表示部
２４  記憶部
２４ａ  確認項目データ
２４ｂ  マスク画像データ
２４ｃ  確認結果データ
２５  制御部
３０  イラスト
３１  アイコン
４０  マスク画像
５０  操作画面
５１ａ  確認観点欄
５１ｂ  確認画面欄
５１ｃ  作業内容欄
５１ｄ  期待結果欄
５２  コメント欄
５３  作業者入力欄
５４  バージョン入力欄
５５  画面番号欄
５６  マスクチェック欄
５７ａ  戻るボタン
５７ｂ  次へボタン
５８ａ  ＯＫボタン
５８ｂ  ＮＧボタン
５８ｃ  保留ボタン
【図１】
2020187575.tif 000003
【図２】
2020187575.tif 000004
【図３】
2020187575.tif 000005
【図４】
2020187575.tif 000006
【図５】
2020187575.tif 000007
【図６】
2020187575.tif 000008
【図７】
2020187575.tif 000009
【図８】
2020187575.tif 000010
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
コンピュータプログラムにおける表示の誤りの検出を支援する表示誤り検出支援プログラムであって、
コンピュータに、
表示部に表示される各画面に対応付けて設定され、各画面において確認の不要な領域をマスクするマスク画像を記憶する記憶部から、前記表示部に表示される画面に対応するマスク画像を読み出す読出手順と、
前記読出手順により読み出されたマスク画像を前記画面に重ねて表示する表示手順と、
を実行させる表示誤り検出支援プログラム。
【請求項２】
前記表示部に表示される１つの画面に対応する異なる複数のマスク画像があり、前記表示手順では、前記異なる複数のマスク画像を順次表示する請求項１に記載の表示誤り検出支援プログラム。
【請求項３】
前記マスク画像には付加情報が対応付けられており、前記表示手順では、前記マスク画像を前記付加情報とともに表示する請求項１または２に記載の表示誤り検出支援プログラム。
【請求項４】
前記付加情報は、前記確認に関する説明の情報である請求項３に記載の表示誤り検出支援プログラム。
【請求項５】
前記付加情報は、前記確認を要する複数の領域の関連性を示す情報である請求項３に記載の表示誤り検出支援プログラム。
【請求項６】
前記コンピュータプログラムは、前記コンピュータとは別の装置において実行され、前記表示手順では、前記マスク画像をミラーリングにより表示された画面に重ねて表示する請求項１〜５のいずれか１項に記載の表示誤り検出支援プログラム。
【請求項７】
コンピュータプログラムにおける表示の誤りの検出を支援する表示誤り検出支援方法であって、
コンピュータが、
表示部に表示される各画面に対応付けて設定され、各画面において確認の不要な領域をマスクするマスク画像を記憶する記憶部から、前記表示部に表示される画面に対応するマスク画像を読み出す読出ステップと、
前記読出ステップにおいて読み出されたマスク画像を前記画面に重ねて表示する表示ステップと、
を実行する表示誤り検出支援方法。
【請求項８】
コンピュータプログラムにおける表示の誤りの検出を支援する表示誤り検出支援装置であって、
表示部に表示される各画面に対応付けて設定され、各画面において確認の不要な領域をマスクするマスク画像を記憶する記憶部と、
前記表示部に表示される画面に対応するマスク画像を前記記憶部から読み出して、読み出したマスク画像を前記画面に重ねて表示させる制御部と、
を備える表示誤り検出支援装置。
【手続補正２】
【補正対象書類名】明細書
【補正対象項目名】０００８
【補正方法】変更
【補正の内容】
【０００８】
また、本開示の表示誤り検出支援方法は、コンピュータプログラムにおける表示の誤りの検出を支援する表示誤り検出支援方法であって、コンピュータが、表示部に表示される各画面に対応付けて設定され、各画面において確認の不要な領域をマスクするマスク画像を記憶する記憶部から、表示部に表示される画面に対応するマスク画像を読み出す読出ステップと、読出ステップにおいて読み出されたマスク画像を上記画面に重ねて表示する表示ステップと、を実行する。
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
コンピュータプログラムにおける表示の誤りの検出を支援する表示誤り検出支援プログラムであって、
コンピュータに、
表示部に表示される各画面に対応付けて設定され、各画面において確認の不要な領域をマスクするマスク画像を記憶する記憶部から、前記表示部に表示される画面に対応するマスク画像を読み出す読出手順と、
前記読出手順により読み出されたマスク画像を前記画面に重ねて表示する表示手順と、
を実行させ、
前記表示部に表示される１つの画面に対応する異なる複数のマスク画像があり、前記表示手順では、前記異なる複数のマスク画像を順次表示する表示誤り検出支援プログラム。
【請求項２】
前記マスク画像には付加情報が対応付けられており、前記表示手順では、前記マスク画像を前記付加情報とともに表示する請求項１に記載の表示誤り検出支援プログラム。
【請求項３】
前記付加情報は、前記確認に関する説明の情報である請求項２に記載の表示誤り検出支援プログラム。
【請求項４】
コンピュータプログラムにおける表示の誤りの検出を支援する表示誤り検出支援プログラムであって、
コンピュータに、
表示部に表示される各画面に対応付けて設定され、各画面において確認の不要な領域をマスクするマスク画像を記憶する記憶部から、前記表示部に表示される画面に対応するマスク画像を読み出す読出手順と、
前記読出手順により読み出されたマスク画像を前記画面に重ねて表示する表示手順と、
を実行させ、
前記マスク画像には付加情報が対応付けられており、前記表示手順では、前記マスク画像を前記付加情報とともに表示し、
前記付加情報は、前記確認を要する複数の領域の関連性を示す情報である表示誤り検出支援プログラム。
【請求項５】
前記コンピュータプログラムは、前記コンピュータとは別の装置において実行され、前記表示手順では、前記マスク画像をミラーリングにより表示された画面に重ねて表示する請求項１〜４のいずれか１項に記載の表示誤り検出支援プログラム。
【請求項６】
コンピュータプログラムにおける表示の誤りの検出を支援する表示誤り検出支援方法であって、
コンピュータが、
表示部に表示される各画面に対応付けて設定され、各画面において確認の不要な領域をマスクするマスク画像を記憶する記憶部から、前記表示部に表示される画面に対応するマスク画像を読み出す読出ステップと、
前記読出ステップにおいて読み出されたマスク画像を前記画面に重ねて表示する表示ステップと、
を実行し、
前記表示部に表示される１つの画面に対応する異なる複数のマスク画像があり、前記表示ステップでは、前記異なる複数のマスク画像を順次表示する表示誤り検出支援方法。
【請求項７】
コンピュータプログラムにおける表示の誤りの検出を支援する表示誤り検出支援方法であって、
コンピュータが、
表示部に表示される各画面に対応付けて設定され、各画面において確認の不要な領域をマスクするマスク画像を記憶する記憶部から、前記表示部に表示される画面に対応するマスク画像を読み出す読出ステップと、
前記読出ステップにおいて読み出されたマスク画像を前記画面に重ねて表示する表示ステップと、
を実行し、
前記マスク画像には付加情報が対応付けられており、前記表示ステップでは、前記マスク画像を前記付加情報とともに表示し、
前記付加情報は、前記確認を要する複数の領域の関連性を示す情報である表示誤り検出支援方法。
【請求項８】
コンピュータプログラムにおける表示の誤りの検出を支援する表示誤り検出支援装置であって、
表示部に表示される各画面に対応付けて設定され、各画面において確認の不要な領域をマスクするマスク画像を記憶する記憶部と、
前記表示部に表示される画面に対応するマスク画像を前記記憶部から読み出して、読み出したマスク画像を前記画面に重ねて表示させる制御部と、
を備え、
前記表示部に表示される１つの画面に対応する異なる複数のマスク画像があり、前記制御部は、前記異なる複数のマスク画像を順次表示させる表示誤り検出支援装置。
【請求項９】
コンピュータプログラムにおける表示の誤りの検出を支援する表示誤り検出支援装置であって、
表示部に表示される各画面に対応付けて設定され、各画面において確認の不要な領域をマスクするマスク画像を記憶する記憶部と、
前記表示部に表示される画面に対応するマスク画像を前記記憶部から読み出して、読み出したマスク画像を前記画面に重ねて表示させる制御部と、
を備え、
前記マスク画像には付加情報が対応付けられており、前記制御部は、前記マスク画像を前記付加情報とともに表示させ、
前記付加情報は、前記確認を要する複数の領域の関連性を示す情報である表示誤り検出支援装置。
【手続補正２】
【補正対象書類名】明細書
【補正対象項目名】０００７
【補正方法】変更
【補正の内容】
【０００７】
本開示の表示誤り検出支援プログラムは、コンピュータプログラムにおける表示の誤りの検出を支援する表示誤り検出支援プログラムであって、コンピュータに、表示部に表示される各画面に対応付けて設定され、各画面において確認の不要な領域をマスクするマスク画像を記憶する記憶部から、表示部に表示される画面に対応するマスク画像を読み出す読出手順と、読出手順により読み出されたマスク画像を上記画面に重ねて表示する表示手順と、を実行させ、表示部に表示される１つの画面に対応する異なる複数のマスク画像があり、表示手順では、異なる複数のマスク画像を順次表示する。また、本開示の表示誤り検出支援プログラムは、コンピュータプログラムにおける表示の誤りの検出を支援する表示誤り検出支援プログラムであって、コンピュータに、表示部に表示される各画面に対応付けて設定され、各画面において確認の不要な領域をマスクするマスク画像を記憶する記憶部から、表示部に表示される画面に対応するマスク画像を読み出す読出手順と、読出手順により読み出されたマスク画像を上記画面に重ねて表示する表示手順と、を実行させ、マスク画像には付加情報が対応付けられており、表示手順では、マスク画像を付加情報とともに表示し、付加情報は、確認を要する複数の領域の関連性を示す情報である。
【手続補正３】
【補正対象書類名】明細書
【補正対象項目名】０００８
【補正方法】変更
【補正の内容】
【０００８】
また、本開示の表示誤り検出支援方法は、コンピュータプログラムにおける表示の誤りの検出を支援する表示誤り検出支援方法であって、コンピュータが、表示部に表示される各画面に対応付けて設定され、各画面において確認の不要な領域をマスクするマスク画像を記憶する記憶部から、表示部に表示される画面に対応するマスク画像を読み出す読出ステップと、読出ステップにおいて読み出されたマスク画像を上記画面に重ねて表示する表示ステップと、を実行し、表示部に表示される１つの画面に対応する異なる複数のマスク画像があり、表示ステップでは、異なる複数のマスク画像を順次表示する。また、本開示の表示誤り検出支援方法は、コンピュータプログラムにおける表示の誤りの検出を支援する表示誤り検出支援方法であって、コンピュータが、表示部に表示される各画面に対応付けて設定され、各画面において確認の不要な領域をマスクするマスク画像を記憶する記憶部から、表示部に表示される画面に対応するマスク画像を読み出す読出ステップと、読出ステップにおいて読み出されたマスク画像を上記画面に重ねて表示する表示ステップと、を実行し、マスク画像には付加情報が対応付けられており、表示ステップでは、マスク画像を付加情報とともに表示し、付加情報は、確認を要する複数の領域の関連性を示す情報である。
【手続補正４】
【補正対象書類名】明細書
【補正対象項目名】０００９
【補正方法】変更
【補正の内容】
【０００９】
また、本開示の表示誤り検出支援装置は、コンピュータプログラムにおける表示の誤りの検出を支援する表示誤り検出支援装置であって、表示部に表示される各画面に対応付けて設定され、各画面において確認の不要な領域をマスクするマスク画像を記憶する記憶部と、表示部に表示される画面に対応するマスク画像を記憶部から読み出して、読み出したマスク画像を上記画面に重ねて表示させる制御部と、を備え、表示部に表示される１つの画面に対応する異なる複数のマスク画像があり、制御部は、異なる複数のマスク画像を順次表示させる。また、本開示の表示誤り検出支援装置は、コンピュータプログラムにおける表示の誤りの検出を支援する表示誤り検出支援装置であって、表示部に表示される各画面に対応付けて設定され、各画面において確認の不要な領域をマスクするマスク画像を記憶する記憶部と、表示部に表示される画面に対応するマスク画像を記憶部から読み出して、読み出したマスク画像を上記画面に重ねて表示させる制御部と、を備え、マスク画像には付加情報が対応付けられており、制御部は、マスク画像を付加情報とともに表示させ、付加情報は、確認を要する複数の領域の関連性を示す情報である。